【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
ガラス板と、
前記ガラス板上に積層された導電層と、
複数のコネクタから延びるか、あるいは一のコネクタから延びる複数の導電ケーブルと、
前記導電層上に間隔をおいて配置され、前記導電ケーブルに接続される、導電性材料で形成された、複数の接続端子と、
前記各接続端子を前記導電層に固定するための無鉛半田と、
前記コネクタと前記各接続端子との間で、前記複数の導電ケーブルを結束する結束部材と、
を備え、
前記接続端子は、
前記導電層に前記無鉛半田を介して固定される設置部と、
前記設置部の一端部から起立する起立部と、
前記起立部の上端から前記設置部とは反対側に略水平に延びる接続部と、
を有し、
前記無鉛半田は、前記設置部の一端部から前記接続部側へはみ出し、前記ガラス板に近づくにしたがって裾広がりの形状を有する、ガラス板モジュール。
【請求項２】
前記接続端子は、前記導電層に設置される設置部と、前記導電ケーブルが接続される接続部と、を有し、
隣接する２個の前記接続端子は、前記導電層上で、前記各接続部が対向するように配置され、当該２個の接続部の間で、前記導電ケーブルが前記結束部材によって結束されている、請求項１に記載のガラス板モジュール。
【請求項３】
前記無鉛半田は、Ｓｎの含有量が９０％以上である、請求項１または２に記載のガラス板モジュール。
【請求項４】
前記無鉛半田は、前記接続端子側から前記導電層側にいくしたがって、裾広がり形状になっている請求項１から３のいずれかに記載のガラス板モジュール。
【請求項５】
請求項１から４のいずれかに記載のガラス板モジュールを備えている、オープンカー。
【請求項６】
導電層が積層されたガラス板を準備するステップと、
複数のコネクタから延びるか、あるいは一のコネクタから延びる複数の導電ケーブルを準備するステップと、
前記各導電ケーブルに接続端子をそれぞれ取付けるステップと、
前記各接続端子に無鉛半田を塗布するステップと、
前記無鉛半田にフラックスを塗布するステップと、
前記接続端子に外部からエネルギーを与えることで、前記無鉛半田を溶融し、当該無鉛半田を介して、前記接続端子を前記導電層上に固定するステップと、
を備え、
前記複数の導電ケーブルは、前記コネクタと前記各接続端子との間で結束され、
前記接続端子は、
前記導電層に前記無鉛半田を介して固定される設置部と、
前記設置部の一端部から起立する起立部と、
前記起立部の上端から前記設置部とは反対側に略水平に延びる接続部と、
を有し、
前記無鉛半田は、前記設置部の一端部から前記接続部側へはみ出し、前記ガラス板に近づくにしたがって裾広がりの形状を有する、ガラス板モジュールの製造方法。
【請求項７】
導電層が積層されたガラス板を準備するステップと、
複数のコネクタから延びるか、あるいは一のコネクタから延びる複数の導電ケーブルを準備するステップと、
前記各導電ケーブルに接続端子をそれぞれ取付けるステップと、
前記各接続端子に無鉛半田を塗布するステップと、
前記導電層の一部にフラックスを塗布するステップと、
前記接続端子に外部からエネルギーを与えることで、前記無鉛半田を溶融し、当該無鉛半田を介して、前記接続端子を前記フラックスが塗布された導電層上に固定するステップと、
を備え、
前記複数の導電ケーブルは、前記コネクタと前記各接続端子との間で結束され、
前記接続端子は、
前記導電層に前記無鉛半田を介して固定される設置部と、
前記設置部の一端部から起立する起立部と、
前記起立部の上端から前記設置部とは反対側に略水平に延びる接続部と、
を有し、
前記無鉛半田は、前記設置部の一端部から前記接続部側へはみ出し、前記ガラス板に近づくにしたがって裾広がりの形状を有する、ガラス板モジュールの製造方法。
【請求項８】
導電層が積層されたガラス板を準備するステップと、
複数のコネクタから延びるか、あるいは一のコネクタから延びる複数の導電ケーブルを準備するステップと、
無鉛半田が塗布された接続端子を準備するステップと、
前記各導電ケーブルに前記接続端子をそれぞれ取付けるステップと、
前記無鉛半田にフラックスを塗布するステップと、
前記接続端子に外部からエネルギーを与えることで、前記無鉛半田を溶融し、当該無鉛半田を介して、前記接続端子を前記導電層上に固定するステップと、
を備え、
前記複数の導電ケーブルは、前記コネクタと前記各接続端子との間で結束され、
前記接続端子は、
前記導電層に前記無鉛半田を介して固定される設置部と、
前記設置部の一端部から起立する起立部と、
前記起立部の上端から前記設置部とは反対側に略水平に延びる接続部と、
を有し、
前記無鉛半田は、前記設置部の一端部から前記接続部側へはみ出し、前記ガラス板に近づくにしたがって裾広がりの形状を有する、ガラス板モジュールの製造方法。
【請求項９】
導電層が積層されたガラス板を準備するステップと、
複数のコネクタから延びるか、あるいは一のコネクタから延びる複数の導電ケーブルを準備するステップと、
無鉛半田が塗布された接続端子を準備するステップと、
前記各導電ケーブルに接続端子をそれぞれ取付けるステップと、
前記導電層の一部にフラックスを塗布するステップと、
前記接続端子に外部からエネルギーを与えることで、前記無鉛半田を溶融し、当該無鉛半田を介して、前記接続端子を前記フラックスが塗布された導電層上に固定するステップと、
を備え、
前記複数の導電ケーブルは、前記コネクタと前記各接続端子との間で結束され、
前記接続端子は、
前記導電層に前記無鉛半田を介して固定される設置部と、
前記設置部の一端部から起立する起立部と、
前記起立部の上端から前記設置部とは反対側に略水平に延びる接続部と、
を有し、
前記無鉛半田は、前記設置部の一端部から前記接続部側へはみ出し、前記ガラス板に近づくにしたがって裾広がりの形状を有する、ガラス板モジュールの製造方法。
【請求項１０】
導電層が積層されたガラス板を準備するステップと、
複数のコネクタから延びるか、あるいは一のコネクタから延びる複数の導電ケーブルが取付けてあって、無鉛半田が塗布された接続端子を準備するステップと、
前記無鉛半田にフラックスを塗布するステップと、
前記接続端子に外部からエネルギーを与えることで、前記無鉛半田を溶融し、当該無鉛半田を介して、前記接続端子を前記導電層上に固定するステップと、
を備え、
前記複数の導電ケーブルは、前記コネクタと前記各接続端子との間で結束され、
前記接続端子は、
前記導電層に前記無鉛半田を介して固定される設置部と、
前記設置部の一端部から起立する起立部と、
前記起立部の上端から前記設置部とは反対側に略水平に延びる接続部と、
を有し、
前記無鉛半田は、前記設置部の一端部から前記接続部側へはみ出し、前記ガラス板に近づくにしたがって裾広がりの形状を有する、ガラス板モジュールの製造方法。
【請求項１１】
導電層が積層されたガラス板を準備するステップと、
複数のコネクタから延びるか、あるいは一のコネクタから延びる複数の導電ケーブルが取付けてあって、フラックスと無鉛半田が塗布された接続端子を準備するステップと、
前記各導電ケーブルに前記接続端子をそれぞれ取付けるステップと、
前記接続端子に外部からエネルギーを与えることで、前記無鉛半田を溶融し、当該無鉛半田を介して、前記接続端子を前記導電層上に固定するステップと、
を備え、
前記複数の導電ケーブルは、前記コネクタと前記各接続端子との間で結束され、
前記接続端子は、
前記導電層に前記無鉛半田を介して固定される設置部と、
前記設置部の一端部から起立する起立部と、
前記起立部の上端から前記設置部とは反対側に略水平に延びる接続部と、
を有し、
前記無鉛半田は、前記設置部の一端部から前記接続部側へはみ出し、前記ガラス板に近づくにしたがって裾広がりの形状を有する、ガラス板モジュールの製造方法。
【請求項１２】
導電層が積層されたガラス板を準備するステップと、
複数のコネクタから延びるか、あるいは一のコネクタから延びる結束された複数の導電ケーブルが取付けてあって、フラックスと無鉛半田が塗布された接続端子を準備するステ
ップと、
前記各導電ケーブルに前記接続端子をそれぞれ取付けるステップと、
前記接続端子に外部からエネルギーを与えることで、前記無鉛半田を溶融し、当該無鉛半田を介して、前記接続端子を前記導電層上に固定するステップと、
を備え、
前記接続端子は、
前記導電層に前記無鉛半田を介して固定される設置部と、
前記設置部の一端部から起立する起立部と、
前記起立部の上端から前記設置部とは反対側に略水平に延びる接続部と、
を有し、
前記無鉛半田は、前記設置部の一端部から前記接続部側へはみ出し、前記ガラス板に近づくにしたがって裾広がりの形状を有する、ガラス板モジュールの製造方法。
【請求項１３】
導電層が積層されたガラス板を準備するステップと、
複数のコネクタから延びるか、あるいは一のコネクタから延びる複数の導電ケーブルが取付けてあって、無鉛半田が塗布された接続端子を準備するステップと、
前記導電層の一部にフラックスを塗布するステップと、
前記接続端子に外部からエネルギーを与えることで、前記無鉛半田を溶融し、当該無鉛半田を介して、前記接続端子を前記導電層上に固定するステップと、
を備え、
前記複数の導電ケーブルは、前記コネクタと前記各接続端子との間で結束され、
前記接続端子は、
前記導電層に前記無鉛半田を介して固定される設置部と、
前記設置部の一端部から起立する起立部と、
前記起立部の上端から前記設置部とは反対側に略水平に延びる接続部と、
を有し、
前記無鉛半田は、前記設置部の一端部から前記接続部側へはみ出し、前記ガラス板に近づくにしたがって裾広がりの形状を有する、ガラス板モジュールの製造方法。